(57)【特許請求の範囲】
【請求項１】
少なくとも１用量の薬剤（２）を送達する吸入デバイス（１）であって、
所与の数の用量が送達されたときに用量設定動作以外の他の吸入デバイス（１）の動作を防止するロックアウト機構（２６）を備え、用量設定動作は、投与のために薬剤（２）の用量を用意する動作であって、該ロックアウト機構（２６）が該吸入デバイス（１）の他の動作を防止したとき、用量設定動作はそれでもなお可能である、前記吸入デバイス（１）。
【請求項２】
ロックアウト機構（２６）によって防止されるように構成される他の動作は、吸入デバイス（１）の用量送達動作である、
請求項１に記載の吸入デバイス（１）。
【請求項３】
ロックアウト機構（２６）は、阻止位置を有する阻止要素（３９）を備え、該阻止要素が該阻止位置にあるとき、吸入デバイス（１）の他の動作は防止される、
請求項１または２に記載の吸入デバイス（１）。
【請求項４】
阻止要素（３９）は、所与の数の用量が送達される前に吸入デバイス（１）の他の動作を可能にする非阻止位置を有する、
請求項３に記載の吸入デバイス（１）。
【請求項５】
所与の数の用量が送達されたときに阻止要素（３９）が非阻止位置から阻止位置へ変化するように構成される、
請求項４に記載の吸入デバイス（１）。
【請求項６】
複数の用量をカウントすることが可能にされた用量カウント機構（５）をさらに備える、
請求項１〜５のいずれか１項に記載の吸入デバイス（１）。
【請求項７】
ロックアウト機構（２６）は、用量カウント機構（５）によってカウントされる数が第
１の所定の数値を有するときに吸入デバイス（１）の他の動作を防止することが可能にされる、
請求項６に記載の吸入デバイス（１）。
【請求項８】
用量カウント機構（５）は、経路（４２）を提供するカウント部材（２８）を備える、請求項６または７に記載の吸入デバイス（１）。
【請求項９】
阻止要素（３９）は、経路（４２）と阻止要素（３９）とが位置合わせされたときに阻止位置へ動くことが可能にされる、
請求項８に記載の吸入デバイス（１）。
【請求項１０】
用量カウント機構（５）は、さらなる経路（４３）を提供する第２のカウント部材（２９）を備え、
阻止要素（３９）は、すべてのカウント部材（２８、２９）の該経路（４２、４３）と該阻止要素（３９）とが位置合わせされたときにのみ阻止位置へ動くことが可能にされる、
請求項８または９に記載の吸入デバイス（１）。
【請求項１１】
用量カウント機構（５）は、相互作用部材（８）およびカップリング要素（２７、９）を備え、該相互作用部材（８）は、該相互作用部材（８）が第１の方向で動かされたときに該カップリング要素（２７、９）と相互作用することが可能にされる、
請求項６〜１０のいずれか１項に記載の吸入デバイス（１）。
【請求項１２】
用量カウント機構（５）は、２つのガイドレール（３７）を含むガイド・トラック（３６）をさらに備え、
相互作用部材（８）がガイドトラック（３６）に沿ってスライドし、ガイドレール（３７）によってガイドされるように構成され、
それにより、相互作用部材（８）が第２の方向で動かされたときに相互作用部材（８）とカップリング要素（２７、９）との相互作用を防止する、
請求項１１に記載の吸入デバイス（１）。
【請求項１３】
第１の位置から第２の位置へ変位可能な作動要素（５４）を備え、ここで、ロックアウト機構（２６）は、所与の数の用量が送達されたときに第１の位置から第２の位置への該作動要素（５４）の変位を防止することが可能にされる、
請求項１〜１２のいずれか１項に記載の吸入デバイス（１）。
【請求項１４】
作動要素（５４）は、使用者の吸引空気流によって変位可能である請求項１３に記載の吸入デバイス（１）。
【請求項１５】
ロックアウト機構（２６）は、阻止要素（３９）にカップリングされた付勢部材（４１）をさらに備え、
該付勢部材（４１）は、該阻止要素（３９）に付勢力を及ぼす、
請求項３〜１４のいずれか１項に記載の吸入デバイス（１）。
【請求項１６】
付勢部材（４１）は、所与の数の用量が送達されたときに阻止要素（３９）を非阻止位置から阻止位置へ動かすように構成される、
請求項１５に記載の吸入デバイス（１）。
【発明の詳細な説明】
【技術分野】
【０００１】
本開示は、吸入デバイスに関する。
【背景技術】
【０００２】
吸入デバイスは一般に、使用者の吸引空気流（ｓｕｃｔｉｏｎ  ａｉｒｓｔｒｅａｍ）によって起動されるものであり、物質、具体的には粉末状の物質の吸入を目的とする。吸入デバイスは、例えば特許文献１に記載されている。
【０００３】
特許文献２は、鍵を備える粉末状の医薬品の投与のための吸引器を開示しており、この吸引器は、所定の数の測定サイクル後に鍵を阻止するように構成されたロッキング機構をさらに備える。
【０００４】
特許文献３は、２桁のドラム・カウンタによって形成されたカウント・デバイスを備える吸入デバイスを開示する。
【先行技術文献】
【特許文献】
【０００５】
【特許文献１】ＷＯ２００９／０６５７０７Ａ１
【特許文献２】ＥＰ１６１６５９２Ａ１
【特許文献３】ＷＯ２００８０７７６２３Ａ１
【発明の概要】
【発明が解決しようとする課題】
【０００６】
本開示の目的は、改善された吸入デバイス、例えば使用者がより使いやすい吸入デバイス、または使用者に提供されるフィードバックに関して改善された吸入デバイスを提供することである。
【課題を解決するための手段】
【０００７】
この目的は、本発明の請求項１の主題によって実現することができる。有利な実施形態および改良形態は、従属請求項の主題である。しかし本明細書では、請求される概念に加えて、さらに有利な概念を開示することができる。
【０００８】
本開示の一態様は、少なくとも１用量の薬剤を送達する吸入デバイスに関し、この吸入デバイスは、所与の数の用量、具体的には所定の数の用量が送達されたときに吸入デバイスの動作を防止するロックアウト機構を備える。ロックアウト機構によって防止されるように構成されるこの動作は、吸入デバイスの用量送達動作とすることができる。
【０００９】
好ましくは、この動作は、所与の数の用量が送達された後、恒久的に防止される。具体的には、ロックアウト機構がこの動作を防止した後は、デバイスのハウジングが開かれてロックアウト機構が解放された場合のみ、この動作を再び可能にすることができる。好ましくは、ロックアウト機構をロック解除するために、薬剤容器を交換する必要がある。この場合、デバイスは、容器の交換を可能にする再利用可能なデバイスになるように構成することができる。
【００１０】
別法として、デバイスは、ロックアウト機構がデバイスをロックした後、すなわち動作を防止した後、その動作を再び有効にすることが一切できなくなるように構成することができる。この場合、デバイスは、デバイスがロックされた後に処分されるように構成することができる。
【００１１】
吸入デバイスは、複数の異なる動作、例えば用量設定動作、用量送達動作、設定した用量を修正する動作、容器交換動作を実施するように構成することができる。ロックアウト機構は、前記動作の少なくとも１つを防止するように有効にされるように構成される。ロックアウト機構は、少なくとも１つの動作を防止したときに用量設定動作を可能にするように構成される。ロックアウト機構は、吸入デバイスの他の動作の１つまたはそれ以上を防止するように構成することができる。具体的には、ロックアウト機構は、用量送達動作を防止するように構成することができる。ロックアウト機構が用量送達動作を防止したとき、少なくとも用量設定動作はそれでもなお実施することができる。他の動作のいくつかを実施することも可能とすることができる。
【００１２】
用量設定動作は、物質の画成された用量を提供する動作として画成することができる。用量設定動作は、投薬のために物質の用量を準備する動作とすることができる。用量設定動作では、単一の用量の物質を、複数の用量に対する物質を含む物質のより大きいリザーバから分離することができる。用量送達動作は、事前に設定された用量の物質がデバイスから排出される動作として画成することができる。
【００１３】
使用者が動作を実行するとき、動作に成功したことを使用者に伝える可聴または可視フィードバックを使用者に提供することができる。しかし、動作がロックアウト機構によって防止された場合、フィードバックが提供されないことによって、動作がうまく実施されなかったことを使用者に警告することができる。したがって、フィードバックがないことで、所与の数の用量がすでに送達されており、したがってことを使用者に示すことができる。
【００１４】
用量の所与の数は、具体的には、吸入デバイスによって提供することができる用量の総数、具体的には薬剤容器によって提供される用量の数に対応することができる。したがって、ロックアウト機構は、デバイスが空のためにさらなる用量を送達することができないとき、動作を防止する。
【００１５】
一実施形態では、ロックアウト機構によって防止されるように構成されるこの動作は、吸入デバイスの用量送達動作である。しかし、用量設定動作もやはり可能とすることができる。具体的には、デバイスは、動作中、具体的には用量送達動作中に、要素、具体的にはデバイスの駆動機構の要素を動かさなければならないように構成することができる。ロックアウト機構は、前記要素の動きを防止し、それによって用量送達動作を防止することができる。
【００１６】
一実施形態では、ロックアウト機構は、阻止位置を有する阻止要素を備え、阻止要素が阻止位置にあるとき、吸入デバイスの動作は防止される。
【００１７】
具体的には、阻止要素は、デバイスの動作中、具体的には用量送達動作中に動かさなければならない要素の動きを防止することができる。具体的には、阻止要素は、デバイスのハウジングに対する要素の動きを防止することができる。一例として、阻止要素は、要素に係合することができ、例えば阻止要素は、要素を機械的に固定することができる。
【００１８】
一実施形態では、阻止要素は、所与の数の用量が送達される前に吸入デバイスの動作を可能にする非阻止位置をさらに有する。非阻止位置では、阻止要素は、動作、具体的には用量送達動作の際に動くように構成された要素に機械的に係合することができない。それによって、用量送達動作を可能にすることができる。
【００１９】
一実施形態では、吸入デバイスは、所与の数の用量が送達されたときに阻止要素が非阻止位置から阻止位置へ変化するように構成される。具体的には、デバイスは、所与の数の用量が送達され、さらにキャップが吸入デバイスのハウジング上へねじ留めされたときに、阻止要素が非阻止位置から阻止位置へ変化するように構成することができる。キャップをハウジング上へねじ留めすることで、用量カウント機構の更新を引き起こすことができる。用量カウント機構が更新され、したがって所与の数の用量をカウントしたとき、阻止位置への阻止要素の動きを引き起こすことができる。したがって、デバイスは、所与の数の用量が送達されて用量カウント機構が更新されたときに阻止要素が阻止位置へ動くように構成することができる。
【００２０】
具体的には、所与の数の用量が送達されたとき、阻止要素の非阻止位置と阻止位置との間の経路が開け、その結果、阻止要素は、動作中、具体的には用量送達中に動かされる要素に係合することが可能になる。
【００２１】
一実施形態では、吸入デバイスは、複数の用量をカウントする、具体的には例えばデバイス内に残っている用量の数またはデバイスによって送達された用量の数に対応する値を増分または減分させる用量カウント機構をさらに備えることができる。
【００２２】
用量カウント機構は、前記用量の数に関する情報を使用者に提供することができる。したがって、用量カウント機構は、使用者にとっての吸入デバイスの使いやすさを高めることができる。
【００２３】
一実施形態では、ロックアウト機構は、用量カウント機構によってカウントされる数が第１の所定の数値を有するときに吸入デバイスの動作を防止するように構成することができる。この第１の所定の数値は、所与の数の用量に対応することができる。ロックアウト機構はまた、カウント数が第１の所定の数値を有するときに用量カウント機構のさらなる動作を防止することができる。ロックアウト機構によって防止される用量カウント機構の動作は、数を増分または減分させることとすることができる。
【００２４】
一実施形態では、用量カウント機構は、カウント部材を備えることができる。カウント部材は、ホイールを備えることができる。好ましくは、カウント部材は可動式であり、具体的には回転可能である。カウント部材は、少なくとも第１の状態および第２の状態、具体的には第１の向きおよび第２の向きを有することができる。好ましくは、カウント部材は、カウント部材が第１の状態であるときに阻止要素の動きを防止するように構成される。さらに、カウント部材は、第２の状態であるとき、阻止要素の動きを可能にすることができる。一例として、カウント部材が第１の状態から第２の状態へ動かされるとき、非阻止位置から阻止位置への阻止部材の動きを可能にすることができる。別法として、第１の状態から第２の状態へのカウント部材の動きは、阻止部材の動きを可能にすることができるが、この動きは阻止位置への動きではない。したがって、動きが可能にされた後、阻止部材はやはり非阻止位置に位置することができる。
【００２５】
カウント部材は、カウント部材が第２の状態であるときに阻止要素の動きを可能にする経路を提供することができる。経路要素は、カウント部材内に設けられた開口部、具体的にはカウント部材を通る孔を構成することができる。好ましくは、経路は、カウント部材内で、カウント部材の中心とは異なる位置に設けられる。それによって、カウント部材の中心を通って延びる軸の周りをカウント部材が回転すると、経路の位置は変更される。
【００２６】
カウント部材は、数字を備えることができる。具体的には、カウント部材は、その側面上に数字を備えることができる。側面は、カウント部材の対称軸から離れる方を向く表面とすることができる。
【００２７】
一実施形態では、阻止要素は、経路と阻止要素とが位置合わせされたときに阻止位置へ動くように有効にされる。具体的には、カウント部材が第２の状態であるときに、阻止要素と経路とを位置合わせすることができる。好ましくは、カウント機構は、所与の数の用量が送達され、カウント機構が所与の数をカウントしたときに、経路と阻止要素とが位置合わせされるように構成される。この経路は、阻止要素の動きを、具体的には動作中に動かさなければならない要素への接触が阻止要素によって防止されることを可能にする動きを可能にすることができる。
【００２８】
一実施形態では、用量カウント機構は、第２のカウント部材を備えることができる。第２のカウント部材は、第１のカウント部材に類似の形状を有することができる。
【００２９】
具体的には、第２のカウント部材は、ホイールを提供することができる。好ましくは、第２のカウント部材は可動式であり、具体的には回転可能である。第２のカウント部材は、少なくとも第１の状態および第２の状態、具体的には第１の向きおよび第２の向きを有することができる。好ましくは、第２のカウント部材は、第２のカウント部材が第１の状態であるときに阻止要素の動きを防止するように構成される。さらに、第２のカウント部材は、第２の状態であるとき、阻止要素の動きを可能にすることができる。
【００３０】
第２のカウント部材は、第２のカウント部材が第２の状態であるときに阻止要素の動きを可能にする経路を備えることができる。この経路は、第２のカウント部材内に設けられた開口部、具体的には第２のカウント部材を通る孔を構成することができる。好ましくは、経路は、第２のカウント部材内で、カウント部材の中心とは異なる位置に設けられる。それによって、第２のカウント部材の中心を通って延びる軸の周りを第２のカウント部材が回転すると、経路の位置は変更される。
【００３１】
第２のカウント部材は、数字を備えることができる。具体的には、第２のカウント部材は、その側面上に数字を備えることができる。側面は、第２のカウント部材の対称軸から離れる方を向く表面とすることができる。
【００３２】
吸入デバイスは、すべてのカウント部材がそれぞれの第２の状態であるときにのみ阻止要素が阻止位置へ動くように有効にされるように構成することができる。具体的には、阻止要素は、各々のカウント部材の経路が阻止要素と位置合わせされたときにのみ、阻止位置へ動くことができる。
【００３３】
具体的には、阻止要素は、連続する動きによって阻止位置へ徐々に動くことができる。第１の動きは、第２のカウント部材が第２の状態に到達したときにのみ実施することができる。具体的には、次いで阻止要素は、第２のカウント部材の経路と位置合わせすることができる。しかし、この動きは、阻止部材と動作中に動かされる要素との係合を引き起こすことができず、それによって要素のさらなる動きを防止することができない。具体的には、阻止部材と動作中に動かされる要素との係合は、第１のカウント部材が第１の状態であることによって防止することができる。したがって、阻止部材はやはり非阻止位置に位置することができる。
【００３４】
第１のカウント部材が第２の状態に到達したとき、第２の動きを実施することができる。具体的には、次いで阻止要素は、第１のカウント部材の経路と位置合わせすることができる。この動きは、阻止部材と動作中に動かされる要素との係合を引き起こし、それによって動作中に動かされる要素のさらなる動きを防止することができる。したがって、次いで阻止部材は阻止位置に位置する。
【００３５】
一実施形態では、用量カウント機構は、相互作用部材およびカップリング部材を備えることができる。相互作用部材は、相互作用部材が第１の方向で動かされたときにカップリング部材と相互作用するように構成することができる。
【００３６】
第１の方向は、近位方向とすることができる。この文脈で、「近位端」という用語は、デバイスの投薬端から最も遠く離れた吸入デバイスの端部またはデバイスの一部の端部を指すことができる。したがって、近位方向の動きとは、近位端の方へ向かう動きである。さらに、「遠位端」という用語は、投薬端に最も近い吸入デバイスの端部または吸入デバイスの一部を指すことができる。したがって、遠位方向の動きとは、遠位端の方へ向かう動きである。
【００３７】
相互作用部材は、用量送達動作が完了した後、第１の方向で動かすことができる。具体的には、相互作用部材は、使用者が用量送達後動作を実行するとき、例えばキャップをデバイスのハウジング上へねじ留めするとき、第１の方向で動かすことができる。
【００３８】
カップリング部材は、カウント部材にカップリングすることができ、それによって相互作用部材の動きをカウント部材へ伝えることができ、その結果、カウント数が増分または減分される。別法として、カップリング部材は、カウント部材によって提供することができる。
【００３９】
カップリング部材は、例えば歯車またはゼネバ車を備えることができる。第１の方向での相互作用部材の動きは、カップリング部材の動き、具体的にはカップリング部材の回転運動に転移することができる。さらに、カップリング部材の動きは、カウント部材の少なくとも１つの動きに転移することができる。
【００４０】
具体的には、カップリング部材は、直接、または伝動装置によって、カウント部材の少なくとも１つにカップリングすることができる。伝動装置は、カップリング部材の第１の角度の回転をカウント部材の第２の角度の回転に転移することができる。
【００４１】
相互作用部材は、第１の方向での相互作用部材の動きの少なくとも一部中にカップリング部材に係合するように有効にすることができる。相互作用部材は、第２の方向での動き中にはカップリング部材に係合することができない。
【００４２】
第２の方向での相互作用部材の動きは、遠位方向での相互作用部材の動きとすることができる。この動きは、用量送達動作に対応することができる。
【００４３】
相互作用部材は、カップリング要素と相互作用してカウント数を変化させるように有効にすることができる。相互作用部材は、好ましくは、カップリング要素を所定の角度だけ回転させるように有効にすることができる。
【００４４】
一実施形態では、用量カウント機構は、相互作用部材が第２の方向で動かされたときに相互作用部材とカップリング要素との相互作用を防止するガイド・トラックをさらに備える。
【００４５】
一実施形態では、吸入デバイスは、第１の位置から第２の位置へ変位可能な作動要素を備えることができる。ロックアウト機構は、所与の数の用量が送達されたときに第１の位置から第２の位置への作動要素の変位を防止するように有効にすることができる。作動要素は、用量送達動作中に動かさなければならない要素を備えることができ、またはその要素とすることができる。作動要素は、使用者の吸引空気流によって変位可能とすることができる。相互作用部材は、作動要素によって提供することができる。好ましくは、相互作用部材は、作動要素の一体部分であり、または作動要素に固定することができる。したがって、相互作用部材は、作動要素に対して軸方向に動くように有効にされない。したがって、作動要素が近位または遠位方向で軸方向に動かされた場合、相互作用部材は前記動きに追従する。
【００４６】
一実施形態では、ロックアウト機構は、阻止要素にカップリングされた付勢部材をさらに備えることができる。付勢部材は、具体的には阻止部材が非阻止位置にあるとき、阻止要素に付勢力を及ぼすことができる。付勢部材は、ばねを備えることができる。付勢部材は、阻止部材がロックアウト機構の非阻止位置にあるときに緊張させることができる。さらに、付勢部材は、阻止要素が阻止位置へ動いたときに弛緩することを可能にすることができる。
【００４７】
一実施形態では、付勢部材は、所与の数の用量に送達したとき、阻止要素を非阻止位置から阻止位置へ動かすように構成することができる。具体的には、付勢部材は、少なくとも１つのカウント部材の経路内へ阻止要素を動かして、さらに相互作用部材と係合させることができる。
【図面の簡単な説明】
【００４８】
【図１】吸入デバイスの概略側断面図である。
【図２】吸入デバイスの一部の概略側断面図である。
【図３】吸入デバイスの一部の概略分解図である。
【図４】相互作用部材とカウンタ駆動要素との相互作用を示す概略図である。
【図５】ロックアウト状態の吸入デバイスの一部分の概略側断面図である。
【発明を実施するための形態】
【００４９】
これらの図では、同様の要素、同じ種類の要素、および同一に作用する要素は、同じ参照番号を備えることができる。
【００５０】
図１に、吸入デバイス１の側断面図を示す。
【００５１】
吸入デバイス１は、ハウジング３を備える。デバイス１は、外側シリンダ４を備える。外側シリンダ４は、ハウジング３に対する軸方向運動をしないように固定される。外側シリンダ４は、ハウジング３に対して回転可能である。
【００５２】
吸入デバイス１は、マウスピース６をさらに備える。吸入デバイス１は、キャップ７を備える。キャップ７は、マウスピース６を覆うために使用される。キャップ７は、ねじ山を備えることができる。キャップ７は、キャップ７をデバイス１上へねじ留めし、またデバイス１からキャップ７のねじを緩めて外すために、ハウジング３に対して回転可能とすることができる。外側シリンダ４は、キャップ７に回転式に固定される。具体的には、外側シリンダ４は、ハウジング３に対するキャップ７の回転に追従する。吸入デバイス１の構成要素およびそれらの機械的協働に関する詳細な説明は、文献ＷＯ２００９，０６５７０７Ａ１に記載されている。
【００５３】
デバイス１は、収納チャンバ１５を備える。収納チャンバ１５は、１用量、好ましくは複数用量の医療用物質２を保持する。物質２は、粉末とすることができる。
【００５４】
具体的には、複数の用量は、所定の数の用量に対応することができ、したがって、所定の数の用量が送達された後、ロックアウト機構は、デバイスのさらなる動作を防止することができる。ロックアウト機構は図１に示されていないが、以下の図に関連して詳細に論じる。
【００５５】
用量の所定の数に対応する数値は、用量カウント機構の開始値である。第１の用量送達前、用量カウント機構は、利用可能な用量の数としてこの所定の数を表示し、用量送達ごとにこの数は減分される。用量カウント機構は図１に示されていないが、以下で詳細に論じる。
【００５６】
収納チャンバ１５は、チャンバ封止２４によって終端される。チャンバ封止２４は、収納チャンバ１５の上壁と一体形成される。デバイス１は、回転部分２５をさらに備える。回転部分２５は、実質上板状の構成であり、外側シリンダ４に回転式に固定された状態で連結される。したがって、回転部分２５は、収納チャンバ１５に対するデバイス１の主長手方向軸ｘの周りのキャップ７、したがって外側シリンダ４の回転に追従する。しかし、回転体２５は、ハウジング３に対して軸方向に固定される。
【００５７】
デバイス１は、測定棒３３をさらに備える。測定棒３３は、キャップ７がハウジング３に係合されたとき、スナップ嵌め要素３４によってキャップ７に連結することができる。測定棒３３は、回転部分２５との機械的協働によって、回転部分２５に回転可能に連結される。したがって、測定棒３３は、キャップ７がデバイス１上へ取り付けられるとき、またはデバイス１から取り外されるとき、主長手方向軸ｘの周りのキャップ７、したがって回転部分２５の回転運動に追従する。
【００５８】
キャップ７がハウジング３に係合されるとき、測定棒３３は、測定チャンバ４０を備える測定棒３３の最近位部分が収納チャンバ１５に入るように、軸方向に近位方向で進む。キャップ７がハウジング３から係合解除されるとき、測定棒３３は、測定棒３３の最近位部分が収納チャンバ１５から退出するように、軸方向に遠位方向で進む。この文脈で、「遠位」とは、マウスピース６に最も近い吸入デバイスの端部を指すことができる。したがって、「近位」とは、マウスピース６から最も遠く離れた吸入デバイスの端部を指すことができる。
【００５９】
具体的には、測定棒３３は、投薬予定の物質２の部分量（ｓｕｂ−ｑｕａｎｔｉｔｙ）１４に対する可動測定チャンバ４０として機能するように構成される。測定チャンバ４０は、物質２内へ突出する測定棒３３の末端内に形成される。
【００６０】
吸入デバイス１は、流れチャネル６０および中間チャネル部分６１を備える流路をさらに備える。
【００６１】
吸入デバイス１は、作動要素５４をさらに備える。作動要素５４は、タング７７およびピストン・ヘッド７６を備えるピストンを備える。作動要素５４は、第１の位置および第２の位置を有する。第１の位置は、第２の位置より近位にある。第１の位置で、作動要素５４のタング７７は、流れチャネル６０と中間チャネル部分６１との間の流路を阻止する。第２の位置で、作動要素５４は、タング７７が流れチャネル６０と中間チャネル部分６１との間の流路を阻止しないように、さらに遠位に位置する。
【００６２】
キャップ７は、ハウジング３からキャップ７のねじを緩めて外すことによって、ハウジング３から係合解除される。したがって、キャップ７は、遠位方向での軸方向運動と回転運動とを同時に実行する。ハウジング３からのキャップ７の係合解除中、キャップ７の回転運動は、長手方向軸ｘの周りの回転部分２５の回転に転移される。回転部分２５の回転は、作動要素５４の回転に転移される。さらに、同時に生じるキャップ７の軸方向運動と回転運動とが測定棒３３へ転移され、測定棒３３は、遠位方向での軸方向運動と長手方向軸ｘの周りの回転運動とを同時に実行する。キャップ７がハウジング３に対するねじ付連結の端部に接近すると、スナップ嵌め要素３４は測定棒３３から係合解除される。
【００６３】
ハウジング３からのキャップ７の係合解除中、作動要素５４は、ハウジング３に対して軸方向に動かされない。したがって、作動要素５４は、ハウジング３からのキャップ７の係合解除の前および後に、第１の位置にある。
【００６４】
キャップ７がハウジング３から完全に係合解除されたとき、測定チャンバ４０は第１の状態である。測定チャンバ４０の第１の状態は、測定チャンバ４０が流路に接触しないように作動要素５４のタング７７が測定チャンバ４０を閉鎖することによって画成される。したがって、作動要素５４が第１の位置にあり、キャップ７がハウジング３から係合解除されたとき、測定チャンバ４０は第１の状態である。
【００６５】
測定チャンバ４０の第１の状態で、作動要素５４のタング７７は、測定チャンバ４０の両側を覆う。したがって、この第１の状態では、物質の部分量１４が少しずつ出ていくことは可能でない。むしろ、物質は、測定チャンバ４０内に捕獲された状態で保持される。
【００６６】
キャップ７が取り外された後、使用者は、デバイスを吸引空気流にさらすことによって、最も簡単な場合、使用者が息を吸い込むことによって、吸入動作をトリガすることができる。空気はマウスピース６を介して吸引され、この結果、第１の例では、ピストン・ヘッド７６が空気の作用にさらされるせいで、作動要素５４が軸方向にマウスピース６の方向で変位させられる。
【００６７】
作動要素５４が軸方向に変位させられるせいで、タング７７も同様に軸方向に変位させられて、測定チャンバ４０を解放する。次いで測定チャンバ４０は、第２の状態になる。測定チャンバ４０の第２の状態は、作動要素５４が第２の位置にあることによって画成される。第２の状態で、測定チャンバ４０は、流れチャネル６０と中間チャネル部分６１との間の流路内で自由に位置する。測定チャンバは、流れチャネル６０から空気が吸引されることによって一掃される。
【００６８】
吸入動作後、キャップ７は、ハウジング３に係合することができる。キャップ７とハウジング３との係合中、キャップ７は、軸方向に近位方向で動かされ、同時に長手方向軸ｘの周りを回転させられる。スナップ嵌め要素３４は、ねじ付連結の初めで測定棒３３に係合する。それによって、キャップ７がハウジング３に係合されているとき、測定棒３３は回転させられ、近位方向で動かされる。
【００６９】
測定棒３３は、シールド３５を備える。キャップ７とハウジング３との係合中の測定棒３３の軸方向運動は、シールド３５によって作動要素５４へ機械的に転移される。具体的には、作動要素５４は、第２の位置から第１の位置へ押される。作動要素５４がすでに第１の位置にある場合、作動要素５４はキャップ７とハウジング３との係合中に軸方向に動かされない。
【００７０】
吸入デバイス１は、用量カウント機構５およびロックアウト機構２６をさらに備える（図２参照）。図１では、見やすいように用量カウント機構５およびロックアウト機構２６は図示されていない。用量カウント機構５は、デバイス１内に残っている用量の数をカウントする。別法として、カウント数は、別の数量、例えば吸入デバイス１によって送達された用量の数に対応することができる。
【００７１】
図２は、吸入デバイス１の一部の側断面図を概略的に示す。具体的には、図２には用量カウント機構５およびロックアウト機構２６が示されている。さらに、図３は、吸入デバイス１の一部分、具体的にはカウント機構５およびロックアウト機構２６の分解図を示す。
【００７２】
用量カウント機構５は、相互作用部材８と、カップリング要素２７と、第１のカウント部材２８と、第２のカウント部材２９と、第３のカウント部材３０とを備える。具体的には、第１のカウント部材２８は、第１のカウント・ホイール（ｃｏｕｎｔｉｎｇ  ｗｈｅｅｌ）を構成することができる。第２のカウント部材２９は、第２のカウント・ホイールを構成することができ、第３のカウント部材３０は、第３のカウント・ホイールを構成することができる。
【００７３】
カップリング要素２７は、第１のカウント部材２８にカップリングされる。第１のカウント部材２８はディスク状であり、側面上に数字を有する。側面に対して垂直な表面は、第１のカウント部材２８の対称軸に対して直角である。第１のカウント部材２８は、対称軸の周りを回転するように有効にされる。
【００７４】
相互作用部材８は、作動要素５４によって提供される。相互作用部材８は、作動要素５４の一体部分とすることができる。相互作用部材８は、偏向可能な要素である。具体的には、相互作用部材８は、偏向可能なスティックとして構成される。相互作用部材８は、主要部分３１と、自由につり下げられた先端部１２とを備える。主要部分３１の一方の端部は、作動要素５４に連結される。主要部分３１の他方の端部には、自由につり下げられた先端部１２が位置し、先端部１２は、主要部分３１に対して角度をなして延びる。具体的には、自由につり下げられた先端部１２は、相互作用部材８の主要部分３１に対して直角を形成する。
【００７５】
カップリング要素２７は、相互作用部材８の動きをカウント部材２８、２９、３０の少なくとも１つの動きに転移するように構成される。具体的には、カップリング要素２７は、相互作用部材８の近位方向の動きを第１のカウント部材２８の回転運動に転移することができる。さらに、カウント機構は、相互作用部材８の遠位方向の動きが、カップリング要素２７および第１のカウント部材２８の動きに転移されないように構成することができる。
【００７６】
カップリング要素２７と第１のカウント部材２８とは、第１の伝動装置によってカップリングされる。図２および図３には、第１の伝動装置は示されていない。したがって、カップリング要素２７の回転は、第１のカウント部材２８の回転に転移される。好ましくは、第１の伝動装置は、ある角度のカップリング要素２７の回転が、より小さい角度の第１のカウント部材２８の回転に転移されるように設計される。好ましくは、伝動装置は、１０回の用量送達動作が、第１の用量カウント部材２８の３６０°の完全な回転に対応するように構成される。
【００７７】
さらに、カウント機構５は、第２のカウント部材２９および第３のカウント部材３０を備える。第２のカウント部材２９および第３のカウント部材３０もまたディスク状であり、側面上に数字を有する。第２のカウント部材２９は、第１のカウント部材２８の３６０°の完全な回転が第２のカウント部材２９の所定の角度の回転に転移されるように、例えば第２の伝動装置によって第１のカウント部材２８にカップリングされる。所定の角度は、用量を１００回送達した後に第２のカウント部材が３６０°回転させられているように選択することができる。
【００７８】
さらに、第３のカウント部材３０は、第２のカウント部材２９の完全な回転が第３のカウント部材３０の所定の角度の回転に転移されるように、第３の伝動装置によって第２のカウント部材２９にカップリングされる。
【００７９】
図２〜５に示す実施形態では、カップリング要素２７はゼネバ車４８である。図示されていない代替実施形態では、カップリング要素２７および第１のカウント部材２８は、両方の機能を満足させる単一の要素によって形成することができる。
【００８０】
さらに、ゼネバ車４８は、複数のカップリング領域を備える。具体的には、ゼネバ車４８は、複数のレセプタクル３２を備える。具体的には、図２〜５に示す実施形態で、ゼネバ車４８は、４つのレセプタクル３２を備える。レセプタクル３２は、ゼネバ車４８において等しく隔置された円周位置に位置する。各レセプタクル３２は、ゼネバ車４８およびつり下げられた先端部１２が所定の特有の状態であるときに、相互作用部材８の自由につり下げられた先端部１２を受けるように寸法設定および配置される。
【００８１】
具体的には、相互作用部材８の自由につり下げられた先端部１２は、ゼネバ車４８のレセプタクル３２内へ係合して、ゼネバ車４８を所定の角度だけ、例えば９０°の角度だけ回転させるように構成される。
【００８２】
ゼネバ車４８は、相互作用部材８が遠位位置から近位方向で動かされたときに自由につり下げられた先端部１２がゼネバ車４８に係合するように設計される。遠位位置は、相互作用部材８の第２の位置であり、図４には「Ｂ」として示されている。近位位置は、相互作用部材８の第１の位置であり、図４には「Ａ」として示されている。
【００８３】
この目的で、相互作用部材８の近位方向の動きの初めに自由につり下げられた先端部１２とゼネバ車４８との係合を開始する進入ガイド・リップ（ｅｎｔｒｙ  ｇｕｉｄｅ  ｌｉｐ）４５を設けることができる。
【００８４】
図４は、相互作用部材８とゼネバ車４８との相互作用を概略的に示す。作動要素５４が第１の位置にあるとき、相互作用部材８も第１の位置にある。図４で、相互作用部材８の第１の位置を位置「Ａ」として示す。作動要素５４の第１の位置は、測定チャンバ４０の第１の状態に対応する。この状態は、キャップ７がハウジング３から係合解除されているが用量送達がまだ実行されていないときに生じる。したがって、作動要素５４の第１の位置で、作動要素５４のタング７７は、測定チャンバ４０の両側を覆い、物質２の部分量１４は、測定チャンバ４０内に確実に捕獲された状態で保持される。
【００８５】
作動要素５４が第１の位置にあるとき、使用者の吸引空気流は用量送達を開始する。使用者の吸引空気流は、作動要素５４を第１の位置から第２の位置へ動かす。この位置で、タング７７も同様に軸方向に変位させられて、測定チャンバ４０を解放する。測定チャンバ４０は、流れチャネル６０から空気が吸引されることによって一掃される。作動要素５４が第１の位置から第２の位置へ動かされるとき、相互作用部材８もまた、第１の位置から第２の位置へ動かされる。図４で、相互作用部材８の第２の位置を位置「Ｂ」として示す。
【００８６】
さらに、カウント機構５は、ガイド・トラック３６を備える。ガイド・トラック３６上に、進入ガイド・リップ４５を設けることができる。
【００８７】
さらに、ガイド・トラック３６は、２つのガイド・レール３７を備える。ガイド・トラック３６は、ゼネバ車４８側に位置する。相互作用部材８が第１の位置から第２の位置へ動いたとき、自由につり下げられた先端部１２は、ガイド・レール３７によって案内されるガイド・トラック３６に沿って摺動する。ガイド・レール３７は、自由につり下げられた先端部１２をゼネバ車４８に沿って遠位方向に、具体的には第１の位置から第２の位置へ動かすことを可能にするが、先端部１２はゼネバ車４８と相互作用しない。代わりに、自由につり下げられた先端部１２は、２つのガイド・レール３７間のガイド・トラック３６を通って案内され、それによってゼネバ車４８に接触しないようになっている。相互作用部材８の主要部分３１は、ガイド・レール３７に対してずれた平面内を動かされ、それによってガイド・レール３７に接触しないようになっている。
【００８８】
用量送達が実行され、作動要素５４および相互作用部材８がそれぞれの第２の位置にあるとき、使用者は、マウスピース６から第２の吸引を実行することができる。しかし、この場合、測定チャンバ４０が空であるため、物質２の用量は送達されない。また、用量送達後、キャップ７がハウジング３に係合されるまで、作動要素５４は第２の位置に留まっているため、第２の吸引によって作動要素５４は動かされない。それによって、相互作用部材８は動かされず、したがって用量カウント機構５の状態は第２の吸引によって変更されない。
【００８９】
医療用物質２の部分量１４を投薬した後、使用者が用量送達後動作を実行するとき、相互作用部材８を近位方向で動かすことができ、例えば使用者は、キャップ７をハウジング３にねじ留めすることができる。
【００９０】
キャップ７がハウジング３上にねじ留めされるとき、作動要素５４は、近位方向に第２の位置から第１の位置へ動かされる。相互作用部材８は作動要素５４にカップリングされているため、キャップ７がハウジング上へねじ留めされるとき、相互作用部材８も近位方向に第２の位置から第１の位置へ動かされる。それによって、相互作用部材８の自由につり下げられた先端部１２は、ゼネバ車４８に係合し、ゼネバ車４８を９０°回転させる。この係合は、ガイド・レール３７上に設けられた進入ガイド・リップ４５によって開始される。
【００９１】
しかし、相互作用部材８の近位方向運動の終わり近くで、自由につり下げられた先端部１２は、ゼネバ車４８のレセプタクル３２から係合解除され、ガイド・トラック３６内へ摺動する。ガイド・トラック３６は、ガイド特性、例えばレセプタクル３２から先端部１２を係合解除する退出ガイド・リップ４６を備えることができる。退出ガイド・リップ４６は、屈曲可能になるように可撓性を有することができ、それによってゼネバ車４８の回転を可能にすることができる。同時に、退出ガイド・リップ４６は、先端部１２がゼネバ車４８のレセプタクル３２からガイド・トラック３６内へ退出ガイド・リップ４６に沿って摺動するのを可能にするのに十分な剛性を有する。
【００９２】
別法として、相互作用部材８は、弾力のため、レセプタクル３２から係合解除され、ガイド・トラック３６の近位開口部内へ係合することができる。近位方向運動中、相互作用部材８は、ガイド・レール３７の１つの表面、具体的にはガイド・トラック３６から離れる方を向いている表面に沿って摺動する。近位方向運動の終わり近くで、相互作用部材８は、ガイド・トラック３６の近位開口部内へ旋回するように有効にされる。したがって、退出ガイド・リップ４６は任意選択である。さらに、進入ガイド・リップ４５もまた、任意選択とすることができる。
【００９３】
したがって、キャップ７がハウジング３上にねじ留めされた後、相互作用部材８は近位方向で動かされ、それによってカウント機構５が更新される。キャップ７のねじが緩められてハウジング３から外されたが、用量送達は実行されない場合、作動要素５４は第１の位置に留まり、それによって相互作用部材８も第１の位置に留まる。したがって、キャップ７が再びハウジング３上へねじ留めされたとき、相互作用部材８は第２の位置から第１の位置へ動かされない。したがって、ゼネバ車４８は回転せず、カウント機構５のカウント数は変更されない。
【００９４】
図３に見ることができるように、第１のカウント部材２８、第２のカウント部材２９、および第３のカウント部材３０は、数字を備える。さらに、ハウジング３は、窓１７を備える。窓１７は、各カウント部材２８、２９、３０の１つの数字が見えるように配置される。窓１７を通じて見えるカウント部材２８、２９、３０の数字はカウント数を形成し、このカウント数は、カウント機構５によって減分される。カウント数は、デバイス１内に残っている用量の数に対応する。窓１７内に見える第１のカウント部材２８の数字は、残っている用量の数の１の位に対応することができ、窓１７内に見える第２のカウント部材２９の数字は、１０の位に対応することができ、窓１７内に見える第３のカウント部材３０の数字は、１００の位に対応することができる。
【００９５】
代替実施形態では、窓１７内に見えるカウント数は、デバイス１によって送達された用量の数に対応することができる。したがって、この実施形態では、カウント数は、カウント機構５によって増分される。
【００９６】
さらに、用量カウント機構５は、平衡化部材をさらに備えることができる。図２および図３には、平衡化部材は示されていない。平衡化部材は、形状、材料、および重量に関して相互作用部材８と同一とすることができる。具体的には、平衡化部材は、偏向可能なスティックとすることができる。平衡化部材は、作動要素５４にカップリングすることができる。好ましくは、平衡化部材は、作動要素５４で相互作用部材８の反対側に配置される。平衡化部材は、相互作用部材８に平衡力を提供することによって、作動要素５４が平衡化された位置にくることを確実にする。具体的には、平衡化部材は、作動要素５４が相互作用部材側へ傾斜しないことを確実にする。さらに、用量カウント機構５は、平衡化部材との相互作用のためにダミーのゼネバ車を備えることができる。
【００９７】
さらに、吸入デバイス１は、ロックアウト機構２６を備える。ロックアウト機構２６は、阻止要素３９を備える。阻止要素３９は、ロックアウト・ピンとすることができる。阻止要素３９は、付勢部材４１によって、例えばばねによって、ハウジング３にカップリングされる。阻止要素３９は、阻止位置および非阻止位置を有する。
【００９８】
具体的には、図２は、阻止要素３９が非阻止位置にある状態のロックアウト機構２６を示す。阻止要素３９は、ハウジング３と用量カウント機構５の第３のカウント部材３０との間に配置されており、相互作用部材８と相互作用しない。
【００９９】
カウント部材２８、２９、３０は各々、少なくとも第１の状態および第２の状態、具体的には第１の向きおよび第２の向きを有することができる。好ましくは、カウント部材２８、２９、３０は、カウント部材２８、２９、３０がそれぞれの第１の状態であるときに阻止要素３９の動きを防止するように構成される（図２参照）。さらに、カウント部材２８、２９、３０は、それぞれの第２の状態であるとき、阻止要素３９の動きを可能にすることができる（図２および図５参照）。
【０１００】
図３に示すように、カウント部材２８、２９、３０は各々、例えばカウント部材２８、２９、３０を通る孔によって形成された経路４２、４３、４４を備える。阻止要素３９は、経路４２、４３、４４が阻止要素と位置合わせされたとき、それぞれの第１のカウント部材２８、第２のカウント部材２９、または第３のカウント部材３０の経路４２、４３、４４内へ動くように有効にされるように配置される。阻止部材３９は、第１のカップリング部材、第２のカップリング部材、および第３のカップリング部材内へ連続して動くように有効にすることができる。阻止部材３９は、複数の部分運動（ｓｕｂ−ｍｏｖｅｍｅｎｔ）を含む動きによって、阻止位置へ動くように有効にすることができる。部分運動は、時間的に分離することができる。具体的には、第１の部分運動で、阻止部材３９は、第３のカウント部材３０の経路４４内へ動くことができ、第２のカウント部材２９によるさらなる動きから阻止することができる。第２の部分運動で、阻止部材３９は、第２のカウント部材２９の経路４３内へ動くことができ、第１のカウント部材２８によるさらなる動きから阻止することができる。第３の部分運動で、阻止部材３９は、第１のカウント部材２８の経路４２内へ動くことができ、相互作用部材８に係合することができる。
【０１０１】
具体的には、阻止要素３９は、窓１７を通じて見える第３のカウント部材３０の数字が０に等しいとき、第３のカウント部材３０の第１の経路４４に係合するように有効にされるように配置される。阻止要素３９は、付勢部材４１によって及ぼされる力によって、第３のカウント部材３０の経路４４内へ可動である。
【０１０２】
例えば、吸入デバイス１は、１５０用量の医療用物質２を備えることができる。したがって、最初の状態で、用量カウント機構５は、窓１７内に「１５０」という数を示す。５１用量が送達された後、「０９９」という数が窓１７内に示される。ここで阻止要素３９は、第３のカウント部材３０の経路４４と位置合わせされ、付勢部材４１によって経路４４内へ押される。
【０１０３】
しかし、５１用量が送達されたとき、この状態では、第２のカウント部材２９は窓１７内に０を示さない。したがって、阻止要素３９は、第２のカウント部材２９の経路４３と位置合わせされていない。したがって、阻止要素３９は、第２のカウント部材２９の経路４３に係合することが防止される。したがって、阻止要素３９は、相互作用部材８および作動要素５４の動作を防止しないため、依然として非阻止位置にある。
【０１０４】
さらに、さらなる用量を送達すると、第２のカウント部材２９は徐々に回転させられる。第２のカウント部材２９が窓１７内に０を示すとき、第２のカウント部材２９の経路４３は阻止要素３９と位置合わせされている。したがって、阻止要素３９はここで、第２のカウント部材２９の経路４３に係合するように有効にされる。具体的には、阻止要素３９は、付勢部材４１によって第２のカウント部材２９の経路４３内へ押し込まれる。
【０１０５】
最後の用量が送達され、キャップ７がハウジング３に係合された後、第１のカウント部材２８の経路４２は、阻止要素３９と位置合わせされる。この場合、窓１７内に見える第１のカウント部材２８の数字は、０に等しい。したがって、窓１７内には「０００」が見える。阻止要素３９はここで、第１のカウント部材２８の経路４２に係合する。すべてのカウント部材２８、２９、３０の経路４２、４３、４４は、阻止要素３９に位置合わせされる。
【０１０６】
さらに、阻止要素３９はここで、相互作用部材８に係合するように有効にされる。それによって、阻止要素３９は、相互作用部材８が軸方向に動かされるのを防止する。したがって、用量送達動作はこれ以上可能でない。
【０１０７】
図５は、すべての利用可能な用量が送達された状態の吸入デバイス１を示す。カウント部材２８、２９、３０は、窓１７内に「０００」が見え、阻止要素３９がすべてのカウント部材２８、２９、３０の経路と位置合わせされるように回転させられている。したがって、付勢部材４１は、阻止要素３９を第１のカウント部材２８の経路４２内へ押し込んでいる。付勢部材４１によって及ぼされる力によって、阻止要素３９は、相互作用部材８に向かって動かされ、用量カウント機構５の相互作用部材８に係合する。ロッキング・ピン３９は、相互作用部材８に係合した後、相互作用部材８のさらなる軸方向運動を防止するように設計される。したがって、阻止要素３９は阻止位置にある。
【０１０８】
阻止位置で、阻止要素３９は、第１のカウント部材２８との係合によって、デバイスのハウジングに対する動きを防止することができる。具体的には、阻止要素３９の一方の端部は、相互作用部材８に係合することができ、阻止要素３９の他方の端部は、経路４２内に位置することができ、それによって、第１のカウント部材２８に係合することができ、したがって阻止要素３９は、少なくとも遠位方向の動きに対してロックされる。具体的には、第１のカウント部材２８は、カウント数の更新中の回転方向とは反対の回転方向のカウント部材２８の回転が防止されるように構成することができる。それによって、阻止要素３９は、少なくとも遠位方向の動きに対して相互作用部材８をロックする。
【０１０９】
阻止要素３９は、主要部分３１と先端部１２との連結点で、相互作用部材８に係合することができる。具体的には、阻止要素は、先端部１２よりわずかに遠位の点で、相互作用部材８に係合することができる。
【０１１０】
具体的には、相互作用部材の方を向いている阻止要素３９の前面は、相互作用部材８の表面に適合された内方へ湾曲する表面４７を有する。それによって、阻止要素３９は、それ以上軸方向に動かすことができないように、相互作用部材８を固定する。相互作用部材８は、図４に「Ａ」として示す第１の位置でロックされる。相互作用部材８は、阻止要素３９の係合によって遠位方向の動きが防止される。
【０１１１】
追加または別法として、相互作用部材８は、凹部を備えることができる。阻止要素３９は、凹部内へ係合し、それによって相互作用部材８がそれ以上軸方向に動くことができないように相互作用部材８をロックするように有効にすることができる。
【０１１２】
相互作用部材８を軸方向に固定することによって、阻止要素３９は、作動要素５４のさらなる動きを防止する。具体的には、作動要素５４を軸方向に遠位方向で動かすことは可能ではなくなる。それによって、吸入デバイス１の用量送達が防止される。
【０１１３】
作動要素５４が第１の位置から第２の位置へ動かされたとき、可聴および可視フィードバックが使用者へ提供される。具体的には、作動要素５４が第２の位置へ動かされたとき、ピストン・ヘッド７６（図１参照）は、対応する突起内へ係合することができ、それによって可聴フィードバックを提供することができる。さらに、吸入デバイス１のハウジング３は、小さい開口部を備えることができ、作動要素は第１の位置では開口部を阻止し、さらに第２の位置では開口部を阻止しないため、使用者は、作動要素が第１の位置にあるか、それとも第２の位置にあるかを確かめることが可能になる。
【０１１４】
しかし、阻止要素３９が相互作用部材８に係合した後に使用者がマウスピース６から吸引を実行した場合、作動要素５４は動かされないため、可聴または可視フィードバックは使用者に提供されない。それによって、使用者には、用量が送達されなかったことが通知される。したがって、ロックアウト機構２６は、吸入デバイス１が医療用物質２のさらなる用量を提供しないことを使用者に警告する。
【０１１５】
阻止要素３９が相互作用部材８をロックした後、吸入デバイス１の用量送達は恒久的に防止される。デバイス１のハウジング３が開かれない限り、阻止要素３９を相互作用部材８からロック解除することは可能でない。阻止要素３９が相互作用部材８をロックしているとき、使用者は、吸入デバイス１を処分することができる。別法として、使用者または訓練を受けた人物は、医療用物質２の新しい用量を再充填することができ、または医療用物質２を含む容器を交換し、その後ロックアウト機構２６をロック解除することができる。
【０１１６】
さらに、用量カウント機構５は、第２のばねを備えることができる。図２〜５には、第２のばねは示されていない。第２のばねは、作動要素５４に遠位方向の力を及ぼすように有効にされる。作動要素５４は、使用者が吸引空気流によって所定の力を及ぼした場合、第１の位置から第２の位置へ動かされる。しかし、相互作用部材８がカウンタ駆動要素と相互作用し、平衡化部材がダミーのカウンタ駆動要素と相互作用することで、作動要素５４を第２の位置へ動かすのに必要とされる力が増大することがある。第２のばねは、作動要素５４を第２の位置へ動かすのに必要とされる力を調整することを可能にする。具体的には、ばねは、作動要素５４にマウスピース６の方向の力を加え、それによって作動要素５４を第２の位置へ動かすのに必要な力を削減する。したがって、第２のばねは、作動要素５４を動かすのに必要とされる力に関する相互作用要素８の作用を相殺する。
【０１１７】
本明細書において使用される用語、「医療用物質」は、例えば、喘息もしくは慢性閉塞性肺疾患（ＣＯＰＤ）のような閉塞性気道または肺疾患、アレルギー、真性糖尿病の処置のための、少なくとも１つの薬学的に活性な化合物を含む医薬製剤を意味することがある。
【０１１８】
活性な医薬化合物は、好ましくは、吸入に適した活性な医薬化合物、好ましくは抗アレルギー薬、抗ヒスタミン薬、抗炎症薬、鎮咳薬、気管支拡張薬、抗コリン作用薬およびそれらの組み合わせからなる群から選択される。
【０１１９】
活性な医薬化合物は、例えば以下から選択することができる：
ヒトインスリンのようなインスリン、例えば組換えヒトインスリン、もしくはヒトインスリン類似体もしくは誘導体、グリカゴン様ペプチド（ＧＬＰ−１）もしくはその類似体もしくはその誘導体、もしくはエキセンジン−３もしくはエキセンジン−４、もしくはエキセンジン−３もしくはエキセンジン−４の類似体もしくは誘導体；
短時間作用型β２アゴニスト（例えばサルブタモール、アルブテロール、レボサルブタモール、フェノテロール、テルブタリン、ピルブテロール、プロカテロール、ビトルテロール、リミテロール、カルブテロール、ツロブテロール、レプロテロール）、長時間作用型β２アゴニスト（ＬＡＢＡ、例えばアルホルモテロール、バンブテロール、クレンブテロール、ホルモテロール、サルメテロール）、ウルトラＬＡＢＡ（例えばインダカテロール）のようなアドレナリン作動薬、もしくは別のアドレナリン作動薬（例えばエピネフリン、ヘキソプレナリン、イソプレナリン（イソプロテレノール）、オルシプレナリン（メタプロテレノール））；
グルココルチコイド（例えばベクロメタゾン、ブデソニド、シクレソニド、フルチカゾン、モメタゾン、フルニソリド、ベタメタゾン、トリアムシノロン）；
抗コリン作用薬もしくはムスカリンアンタゴニスト（例えば臭化イプラトロピウム、臭化オキシトロピウム、臭化チオトロピウム）；
肥満細胞安定化薬（例えばクロモグリケート、ネドクロミル）；
キサンチン誘導体（例えばドキソフィリン、エンプロフィリン、テオブロミン、テオフィリン、アミノフィリン、コリンテオフィリネート）；
ロイコトリエンアンタゴニスト（例えばモンテルカスト、プランルカスト、ザフィルルカスト）のようなエイコサノイド阻害剤、リポキシゲナーゼ阻害剤（例えばジロイトン）、もしくはトロンボキサン受容体アンタゴニスト（例えばラマトロバン、セラトロダスト）；
またはこれまでに言及した化合物種もしくは化合物のいずれか２つ、３つもしくはそれ以上の組み合わせ（例えばブデソニド／ホルモテロール、フルチカゾン／サルメテロール、臭化イプラトロピウム／サルブタモール、モメタゾン／ホルモテロール）；
またはこれまでに挙げた化合物のいずれかの薬学的に許容される塩もしくは溶媒和物もしくはエステル。
【０１２０】
薬学的に許容される塩は、例えば酸付加塩および塩基性塩である。酸付加塩は、例えば塩化物、臭化物、ヨウ化物、硝酸、炭酸、硫酸、メチル硫酸、リン酸、酢酸、安息香酸、ベンゼンスルホン酸、フマル酸、マロン酸、酒石酸、コハク酸、クエン酸、乳酸、グルコン酸、グルタミン酸、エデト酸、メシル酸、パモ酸、パントテン酸またはヒドロキシナフトエ酸の塩である。塩基性塩は、例えばアルカリもしくはアルカリ土類から選択されるカチオン、例えばＮａ＋もしくはＫ＋もしくはＣａ２＋、またはアンモニウムイオンＮ＋（Ｒ１）（Ｒ２）（Ｒ３）（Ｒ４）を有する塩であり、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する。薬学的に許容される塩の他の例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。薬学的に許容されるエステルは、例えば酢酸エステル、プロピオン酸エステル、リン酸エステル、コハク酸エステルまたはエタボン酸エステルとすることができる。
【０１２１】
薬学的に許容される溶媒和物は、例えば水和物である。
【符号の説明】
【０１２２】
１  吸入デバイス
２  物質
３  ハウジング
４  外側シリンダ
５  用量カウント機構
６  マウスピース
７  キャップ
８  相互作用部材
１２  先端部
１４  物質の部分量
１５  収納チャンバ
１７  窓
２４  チャンバ封止
２５  回転部分
２６  ロックアウト機構
２７  カップリング要素
２８  第１のカウント部材
２９  第２のカウント部材
３０  第３のカウント部材
３１  主要部分
３２  レセプタクル
３３  測定棒
３４  スナップ嵌め要素
３５  シールド
３６  ガイド・トラック
３７  ガイド・レール
３９  阻止要素
４０  測定チャンバ
４１  付勢部材
４２  孔
４３  孔
４４  孔
４５  進入ガイド・リップ
４６  退出ガイド・リップ
４７  表面
４８  ゼネバ車
５４  作動要素
６０  流れチャネル
６１  中間チャネル部分
７６  ピストン・ヘッド
７７  タング
Ａ  第１の位置
Ｂ  第２の位置
ｘ  デバイス軸
【図１】
0005970082.tif 000002
【図２】
0005970082.tif 000003
【図３】
0005970082.tif 000004
【図４】
0005970082.tif 000005
【図５】
0005970082.tif 000006